(57)【要約】【課題】  水銀灯用安定器で点灯した場合に、水銀灯に比べて安定器入力電力の値が５％以上少なくなり、省電力が可能なメタルハライドランプを提供する。【解決手段】  透光性セラミックよりなる発光管の内部に水銀、始動用希ガスおよび第１の発光物質としてハロゲン化ディスプロシウム、ハロゲン化ツリウム、ハロゲン化ホルミウム、ハロゲン化エルビウム及びハロゲン化テルビウムのうち１種類以上を、封入量を発光管内容積１ｃｍ３あたりのモル数で表したとき、総封入量で０．５×１０−６〜１０×１０−6モルと、第２の発光物質としてハロゲン化タリウム、ハロゲン化セリウム及びハロゲン化ネオジウムのうち１種類以上と、第３の発光物質としてハロゲン化ナトリウムとを封入し、前記発光管の管壁負荷が２０〜３３Ｗ／ｃｍ２、平均演色評価数Ｒａが８０以上および色温度が３０００〜５０００Ｋであることを特徴としている。【選択図】      図３
2005235434.tif 000002
【特許請求の範囲】
【請求項１】
透光性セラミックよりなる発光管の内部に水銀および始動用希ガスと、
第１の発光物質としてハロゲン化ディスプロシウム、ハロゲン化ツリウム、ハロゲン化ホルミウム、ハロゲン化エルビウム及びハロゲン化テルビウムのうち１種類以上を、封入量を発光管内容積１ｃｍ３あたりのモル数で表したとき、総封入量で０．５×１０−６〜１０×１０−6モルと、
第２の発光物質としてハロゲン化タリウム、ハロゲン化セリウム及びハロゲン化ネオジウムのうち１種類以上と、
第３の発光物質としてハロゲン化ナトリウムとを封入し、
前記発光管の管壁負荷が２０〜３３Ｗ／ｃｍ２、平均演色評価数Ｒａが８０以上および色温度が３０００〜５０００Ｋであることを特徴とするメタルハライドランプ。
【請求項２】
発光管内には始動用希ガスとしてＡｒ含有量が０．５容積％以上であるネオン―アルゴン混合ガスを９〜３０ＫＰａの範囲で封入してなることを特徴とする請求項１に記載のメタルハライドランプ。
【発明の詳細な説明】
【技術分野】
【０００１】
本発明は発光管に透光性セラミックを使用したメタルハライドランプに関するものである。
【背景技術】
【０００２】
本発明に関連した従来技術としては、石英製の発光管内に不活性ガス、水銀、ヨウ化タリウムおよびヨウ化ディスプロシウム、ヨウ化ホルミウムその他希土類金属のヨウ化物の1種又は複数種が封入されたもの（特許文献１参照）あるいは透光性セラミック発光管内に始動用希ガス、水銀とともにホルミウム、ディスプロシウム、ツリウム、ナトリウム、タリウム、セシウム等のヨウ化物が封入されたもの（特許文献２参照）が知られている。
【０００３】
特許文献１に記載のメタルハライドランプは発光管の管壁負荷は１０〜１２．５Ｗ／ｃｍ２で、発光効率７８〜８２.５ｌｍ／Ｗ、平均演色評価数Ｒａは７０〜８０である。このランプは発光管に石英を使用しており、封入物と石英材料との反応を避けるため管壁負荷を２０Ｗ／ｃｍ２以上に高めることができないため、発光効率および平均演色評価数Ｒａが劣るという欠点があった。そのため、このランプは室内照明用途には適さないランプであった。さらに、このランプは水銀灯安定器で点灯した場合の安定器入力電力の値が水銀灯を点灯した時のそれとほぼ同じであり、したがって、水銀灯と交換したとしても省電力にはならない。
【０００４】
特許文献２に記載のメタルハライドランプは、発光管の管壁負荷はほぼ２０〜４０Ｗ／ｃｍ２の範囲に設定されており、水銀灯用安定器で安定に点灯できるというものである。そして、ここに記載されたランプを水銀灯用安定器で点灯した場合の具体的な特性は明示されていないが、実際にランプを製作して特性を測定すると、安定器入力電力の値は水銀灯を点灯した時のそれとほぼ同じであった。従って、特許文献２に記載のメタルハライドランプは、水銀灯と交換したとしても省電力にはならない。
【０００５】
【特許文献１】特開昭５２−３１５８１号公報
【特許文献２】特開２００１−２６６７９１号公報
【発明の開示】
【発明が解決しようとする課題】
【０００６】
本発明の課題は、水銀灯用安定器で点灯した場合に、水銀灯に比べて安定器入力電力の値が５％以上少なくなり、省電力が可能な室内照明用途に適したメタルハライドランプを提供することである。さらに他の目的はランプの点灯性を改善し、低いパルス電圧で点灯可能とし、絶縁耐力の劣化した既設の古い点灯設備で使用できる高効率なメタルハライドランプを提供することである。
【課題を解決するための手段】
【０００７】
請求項１のメタルハライドランプは、透光性セラミックよりなる発光管の内部に水銀および始動用希ガスと、
第１の発光物質としてハロゲン化ディスプロシウム、ハロゲン化ツリウム、ハロゲン化ホルミウム、ハロゲン化エルビウム及びハロゲン化テルビウムのうち１種類以上を、封入量を発光管内容積１ｃｍ３あたりのモル数で表したとき、総封入量で０．５×１０−６〜１０×１０−6モルと、
第２の発光物質としてハロゲン化タリウム、ハロゲン化セリウム及びハロゲン化ネオジウムのうち１種類以上と、
第３の発光物質としてハロゲン化ナトリウムとを封入し、
前記発光管の管壁負荷が２０〜３３Ｗ／ｃｍ２、平均演色評価数Ｒａが８０以上および色温度が３０００〜５０００Ｋであることを特徴としている。
【０００８】
請求項２のメタルハライドランプは、請求項１記載のメタルハライドランプにおいて、発光管内には始動用希ガスとしてＡｒ含有量が０．５容積％以上であるネオン―アルゴン混合ガスを９〜３０ＫＰａの範囲で封入してなることを特徴している。
【発明の効果】
【０００９】
請求項１の発明によれば、水銀灯を用いた照明設備のランプを交換して、５％以上の省電力化と、色温度と演色性の大幅な改善および光束のアップを図ることができる。
【００１０】
請求項２の発明によれば、安価な水銀灯用安定器で点灯可能な室内照明用途に適した長寿命のメタルハライドランプを提供することができる。しかも、低いパルス電圧で始動が可能で、絶縁耐力の低下した既設の古い点灯回路での使用に適している。
【発明を実施するための最良の形態】
【００１１】
本発明を図１〜２により説明する。図１は本発明のメタルハライドランプを構成する発光管を示す断面図である。図１において、１は透光性アルミナセラミックからなる発光管で、その両端部には細管部５を有している。前記細管部５の内部には熱膨張率が前記細管部５のそれと近似した耐熱金属からなる第１の電気導入体７及び該電気導入体７に取り付けられた耐熱金属製の第２の電気導入体６、さらに該電気導入体６に取り付けられた電極コイル２を有する電極極芯３が挿入され、前記電気導入体６および７の一部と前記細管部５の一部とは封着材９で気密的にロウ付け固定されている。ここで、透光性アルミナセラミックからなる発光管の内径および長さ寸法は管壁負荷が２０〜３３Ｗ／ｃｍ２になるように設定する。
【００１２】
このように両端部が密封された発光管１内には、始動用希ガスおよび水銀と、第１の発光物質としてハロゲン化ディスプロシウム、ハロゲン化ツリウム、ハロゲン化ホルミウム、ハロゲン化エルビウム及びハロゲン化テルビウムのうち１種類以上を封入し、封入量を発光管内容積１ｃｍ３あたりのモル数で表したとき、前記第１の発光物質の総封入量を０．５×１０−６〜１０×１０−6モルと、第２の発光物質としてハロゲン化タリウム、ハロゲン化セリウム及びハロゲン化ネオジウムのうち１種類以上と、第３の発光物質としてハロゲン化ナトリウムとが封入されている。
【００１３】
第１、第２および第３の発光物質としては前述のハロゲン化合物が用いられるが、ハロゲンとしてはよう素Ｉが好ましく、場合により臭素Ｂｒが含まれていても良い。ここで、第１の発光物質としてハロゲン化ディスプロシウム、ハロゲン化ツリウム、ハロゲン化ホルミウム、ハロゲン化エルビウム及びハロゲン化テルビウムのうち１種類以上を用いる場合、これらのハロゲン化物の蒸気圧を十分に高くしないと、目的とするランプ特性が得られない。そこで、本発明では第１の発光物質であるハロゲン化物の蒸気圧を高くするために、前記ハロゲン化物の封入量を発光管内容積１ｃｍ３あたりのモル数で表したとき、封入量を０．５×１０−６〜１０×１０−6モルとし、さらに、発光管の管壁負荷を２０〜３３Ｗ／ｃｍ２に設定している。
【００１４】
ここで、第１の発光物質の総封入量が発光管内容積１ｃｍ３当たり０．５×１０−6モルよりも少なくなると、前記ハロゲン化物が発光管端部の隙間に潜り込み、前記ハロゲン化物の温度が低くなり、十分な蒸気圧が得られないため、目的のランプ特性が得られない。すなわち、水銀灯用安定器で点灯した時に、安定器入力電力は水銀灯の値と同程度になり、水銀灯を点灯したときの入力電力よりも５％以上小さくすることができなくなるほか、ランプ効率および平均演色評価数Ｒａの低下が生じる。逆に、第１の発光物質としてのハロゲン化物の封入量が発光管内容積１ｃｍ３当たり１０×１０−6モルよりも大きくなると、余分なハロゲン化物が発光管の内面に付着し、光の透過を妨げるため、光束が減少する他、管壁でのハロゲン化物とアルミナ管の反応によるリーク、および消灯電圧の上昇によるランプ立ち消え等の不具合が発生する。よって、第１の発光物質の総封入量は、発光管内容積１ｃｍ３当たり０．５×１０−6〜１０×１０−6モルが適当である。
【００１５】
さらに、管壁負荷が２０Ｗ／ｃｍ２より小さくなると発光管温度が十分に上がらず、ハロゲン化物の蒸気圧が高くならないので、上述したように目的のランプ特性が得られない。逆に、管壁負荷が３３Ｗ／ｃｍ２より大きくなると、発光管の温度が上がりすぎて、十分な寿命特性が得られなくなる。従って、発光管の管壁負荷は２０〜３３Ｗ／ｃｍ２が適当であり、２２〜２８Ｗ／ｃｍ２がより好ましい。
【００１６】
なお、発光管の材質としては透光性アルミナセラミックとして説明したが、これに限定されるものではなく、例えば、酸化イットリウム、酸化マグネシウムおよび窒化アルミニウム等の透光性セラミック材料が使用できる。
【００１７】
さらに、図１に示す発光管は、径大の中央部本管とその端部に設けられたエンドディスクを介して、細管部５が取り付けられた形状となっているが、これに限定されるものではなく、例えば、本管部と細管部とが一体的に形成された形状の、いわゆる、一体成形品であっても良いのはもちろんである。
【００１８】
また、始動用希ガスとしては、一般に用いられるネオン、アルゴン、キセノンおよびクリプトン又はそれらの混合ガスなどが使用できるが、好ましくは９〜３０ＫＰａのＮｅ−Ａｒ（０．５容積％以上）混合ガスを用いると、特に低いパルス電圧で始動が可能で、絶縁耐力の低下した既設の古い点灯回路での使用に適している。
【００１９】
図２は本発明のメタルハライドランプの概略構成図を示し、１は前述した構成からなる透光性セラミック製の発光管、１１は硬質ガラス製の外管、１２は電気導体を兼ねた発光管を支持するための支持線、１４は外管内を高真空に保つためのゲッター、１６はランプの始動を容易にするための始動補助導体、１５は口金である。本実施例のランプは、ランプに始動器を内蔵していないので、安定器に始動器を付加する必要がある。要するに、安定器に始動器を付加することで、水銀灯用安定器で点灯が可能である。
【００２０】
図３は他の実施例で、グロー管からなる始動器１３をランプに内蔵している。始動器１３をランプに内蔵させた場合には、水銀灯安定器がそのまま使えるので、ランプの交換のみで水銀灯を用いた照明からメタルハライドランプの照明に切り替えることができる。始動器１３は、グロー管に限定されるものではなく、バイメタルスイッチと抵抗の直列回路からなる始動器、あるいは非線形コンデンサーを用いたものでも良い。このように形成されたメタルハライドランプは平均演色評価数Ｒａが、８０以上で色温度が３０００〜５０００Ｋとなる。しかも、水銀灯安定器で点灯した場合に、安定器入力電力は水銀灯を点灯した時よりも５％以上小さくなる。
【００２１】
なお、水銀灯用安定器とは高圧水銀灯を点灯するために設計された安定器であって、高圧水銀灯を点灯した時、ランプ電力の値が定格ランプ電力に対して±１０％以内、安定器入力電力の値が定格入力電力に対して±１０％以内の特性が得られる安定器である。
【実施例】
【００２２】
次に３６０Ｗランプの実施例について説明する。
【００２３】
［実施例１］
図１において、発光管１は透光性アルミナ管からなり、中央部の内径寸法は約２０ｍｍ、内寸法における長さは約３８ｍｍ、細管部を除いた発光管内容積は約１０ｃｍ３、左右電極極芯３の先端間の距離は約２８ｍｍ、電極極芯３の径は約０．９ｍｍ、発光管１の両端に設けられた細管部５の内径および外径寸法はそれぞれ約２ｍｍと約４．５ｍｍ、第１の電気導入体７はＮｂ−１％Ｚｒの合金からなり径は約０．７ｍｍで長さは約１５ｍｍ、第２の電気導入体６はＭｏからなり、径は約０．４ｍｍで長さは約３ｍｍである。前記第１の電気導入体７と第２の電気導入体６および第２の電気導入体６と電極極芯３はそれぞれ突合せ溶接により接続されている。そして、前記第１の電気導入体７と第２の電気導入体６の一部は前記細管部５の端部内面において、ＳｉＯ２２１．８重量％、Ａｌ２Ｏ３１６．８重量％およびＹ２Ｏ３６１．４重量％系の封着材９により気密的にロウ付け固定されている。
【００２４】
このように密封された発光管１内（内容積は約１０ｃｍ３）には表１に示すように、第１の発光物質としてＤｙＩ３、ＴｍＩ３およびＨｏＩ３がそれぞれ約６．７ｍｇ（約１．２×１０−６モル／ｃｍ３）封入されている。これら三種類の封入物の総封入量は約３．６×１０−６モル／ｃｍ３である。さらに第２の発光物質としてＴｌＩが約３ｍｇ（約０．５×１０−６モル／ｃｍ３）と第３の発光物質としてＮａＩが約６ｍｇ（約４×１０−６モル／ｃｍ３）、水銀が３０〜３５ｍｇおよびＮｅ−Ａｒ（０．５容積％）が約１０ＫＰａそれぞれ封入されている。なお、ランプは４個製作し、それぞれのランプ電圧が１１８Ｖ〜１３０Ｖの範囲でバラツキを生じるように、水銀封入量を３０〜３５ｍｇの範囲で変えてある。
【００２５】
このように形成された発光管１は図３に示すように、硬質ガラスからなる外管１１内にステンレス製の電気導体兼支持体１２を介して固定される。発光管１に接して径が約０．２ｍｍのＭｏ線からなる始動補助導体１６が付設されるとともに、グロースタータからなる始動器１３が組み込まれている。このランプは水銀灯用安定器で容易に点灯可能である。
【００２６】
表１には、このように構成したランプ４灯について、電源電圧が２００Ｖ一定において水銀灯用安定器で点灯した時の特性が記載してある。表１において、ランプ１はランプ電圧が１１８Ｖでランプ電力は３６５Ｗ、安定器入力電力は３９２Ｗ、平均演色評価数Ｒａは８４、色温度は４３５０Ｋであることを示している。さらに、以下に詳述する比較例１には４００Ｗ水銀灯のデータが示してある。表１には比較例１における安定器入力電力の値を１００としたときの各実施例のランプにおける安定器入力電力の比率が記載してある。実施例１のランプは安定器入力電力の水銀灯に対する比率は９４．７％であり、５％以上の省電力を実現できることがわかる。
【００２７】
［実施例２］
実施例２は３６０Ｗランプの他の例で、発光管中央部の内径寸法が約１８ｍｍ、内寸法における長さは約３５ｍｍ、細管部を除いた発光管内容積は約７ｃｍ３、左右電極極芯３の先端間の距離が約２５ｍｍであることと、封入物および封入量が異なる以外は実施例１と同じ構成である。このランプの管壁負荷は約２５Ｗ／ｃｍ２であり、発光管内には表１に示す封入物が同じく表１に示す封入量だけ封入されている。すなわち、第１の発光物質としてＤｙＩ３、ＴｍＩ３およびＨｏＩ３がそれぞれ約４．７ｍｇ（約１．２×１０−６モル／ｃｍ３）封入されている。これら三種類の封入物の総封入量は約３．６×１０−６モル／ｃｍ３である。さらに第２の発光物質としてＣｅＩが約２ｍｇ（約０．５×１０−６モル／ｃｍ３）と第３の発光物質としてＮａＩが約８ｍｇ（約７．６×１０−６モル／ｃｍ３）、水銀が３５〜４０ｍｇおよびＮｅ−Ａｒ（０．５容積％）が約１８ＫＰａそれぞれ封入されている。なお、ランプは２個製作し、それぞれのランプ電圧が１２２Ｖ〜１３１Ｖの範囲でバラツキを生じるように、水銀封入量を３５〜４０ｍｇの範囲で変えてある。
【００２８】
本構成のランプ２灯について、電源電圧が２００Ｖ一定において水銀灯用安定器で点灯した時の特性を測定したところ表１に示すとおりであった。このランプもランプ電圧１２２Ｖにおいて、安定器入力電力の水銀灯に対する比率は９３．２％であり、５％以上の省電力を実現できることがわかる。
【００２９】
［実施例３］
実施例３は３６０Ｗランプの他の例で、発光管中央部の内径寸法が約１８ｍｍ、内寸法における長さは約２９．５ｍｍ、細管部を除いた発光管内容積は約６ｃｍ３、左右電極極芯３の先端間の距離が約１９．５ｍｍであることと、封入物および封入量が異なる以外は実施例１と同じ構成である。このランプの管壁負荷は約３３Ｗ／ｃｍ２であり、発光管内には表１に示す封入物が同じく表１に示す封入量だけ封入されている。すなわち、第１の発光物質としてＤｙＩ３が約１０ｍｇ（約３．１×１０−６モル／ｃｍ３）封入されている。さらに第２の発光物質としてＣｅＩが約２ｍｇ（約０．６×１０−６モル／ｃｍ３）と第３の発光物質としてＮａＩが約１０ｍｇ（約５．１×１０−６モル／ｃｍ３）、水銀が３５〜４０ｍｇおよびＮｅ−Ａｒ（０．５容積％）が約９ＫＰａそれぞれ封入されている。なお、ランプは３個製作し、それぞれのランプ電圧が１２１Ｖ〜１３３Ｖの範囲でバラツキを生じるように、水銀封入量を３５〜４０ｍｇの範囲で変えてある。
【００３０】
本構成のランプ３灯について、電源電圧が２００Ｖ一定において水銀灯用安定器で点灯した時の特性を測定したところ表１に示すとおりであった。このランプもランプ電圧１２１Ｖにおいて、安定器入力電力の水銀灯に対する比率は９３．０％であり、５％以上の省電力を実現できることがわかる。
【００３１】
［実施例４］
実施例４は３６０Ｗランプの他の例で、発光管中央部の内径寸法が約１８ｍｍ、内寸法における長さは約３５ｍｍ、細管部を除いた発光管内容積は約７ｃｍ３、左右電極極芯３の先端間の距離が約２５ｍｍであることと、封入物および封入量が異なる以外は実施例１と同じ構成である。このランプの管壁負荷は約２５Ｗ／ｃｍ２であり、発光管内には表１に示す封入物が同じく表１に示す封入量だけ封入されている。すなわち、第１の発光物質としてＤｙＩ３、ＴｂＩ３がそれぞれ約６．７ｍｇ（約１．８×１０−６モル／ｃｍ３）、およびＥｒＩ３が約６．７ｍｇ（約１．７×１０−６モル／ｃｍ３）封入されている。これら三種類の封入物の総封入量は約５．３×１０−６モル／ｃｍ３である。さらに第２の発光物質としてＴｌＩが約１．５ｍｇ（約０．４×１０−６モル／ｃｍ３）およびＮｄＩ３が約１．５ｍｇ（約０．４×１０−６モル／ｃｍ３）と第３の発光物質としてＮａＩが約２ｍｇ（約０．８×１０−６モル／ｃｍ３）、水銀が３５〜４０ｍｇおよびＮｅ−Ａｒ（０．５容積％）が約３０ＫＰａそれぞれ封入されている。なお、ランプは２個製作し、それぞれのランプ電圧が１２４Ｖ〜１２８Ｖの範囲でバラツキを生じるように、水銀封入量を３５〜４０ｍｇの範囲で変えてある。
【００３２】
本構成のランプ２灯について、電源電圧が２００Ｖ一定において水銀灯用安定器で点灯した時の特性を測定したところ表１に示すとおりであった。このランプもランプ電圧１２４Ｖにおいて、安定器入力電力の水銀灯に対する比率は９３．７％であり、５％以上の省電力を実現できることがわかる。
【００３３】
［比較例１］
比較例１は定格ランプ電力４００Ｗの水銀灯で、安定器入力電力の基準となるランプである。表１の入力電力の欄は、このランプを水銀灯安定器で点灯した時の入力電力を１００として、他の実施例ランプの入力電力を百分率で表している。
【００３４】
又、ここには記載していないが、管壁負荷が２０Ｗ／ｃｍ２以下あるいは３３Ｗ／ｃｍ２以上のランプについて試験を行ったが、ここに上げた試験データより良い特性のものは得られなかった。その理由は下記のとおりである。
（１）管壁負荷が２０Ｗ／ｃｍ２未満であると平均演色評価数Ｒａが８０を下回ることがある。
（２）管壁負荷が３３Ｗ／ｃｍ２より大きいとランプ力率が低下し、消灯電圧が高くなり、水銀灯安定器で安定に点灯させることが困難になる。
（３）従って、管壁負荷は２０〜３３Ｗ／ｃｍ２が好ましく、２２〜２８Ｗ／ｃｍ２がより好ましい。
【００３５】
さらに、発光管に封入する始動用希ガスとしてＮｅ−Ａｒペニングガスを使用した場合、封入ガス圧を９ＫＰａ一定として、Ａｒの容積比率が変わると、ランプの光束維持率は図４のようであった。このデータより、ランプの光束維持率を水銀灯のそれ（点灯時間約２０００時間において約８５％）に合わすためには、Ａｒの容積比率は０．５％以上が好ましい。
【００３６】
また、Ｎｅ−ＡｒペニングガスのＡｒの容積比率を０．５％一定として、封入圧力と光束維持率との関係は図５のようであった。このことから、ランプの光束維持率を水銀灯のそれ（点灯時間約２０００時間において約８５％）に合わすためには、Ｎｅ−Ａｒペニングガスの封入圧としては９ｋＰａ以上が好ましい。ただし、３０ｋＰａを超えるとランプの始動性に不具合が生じ、好ましくない。よって、Ｎｅ−Ａｒペニングガスの封入圧としては９〜３０ｋＰａが好ましい。
【００３７】
さらに、上述の実施例１〜４を含む種々の封入物に関する試験から、次のような結果が得られた。
（４）第１の発光物質としてハロゲン化ディスプロシウム、ハロゲン化ツリウム、ハロゲン化ホルミウム、ハロゲン化エルビウム及びハロゲン化テルビウムのうち１種類以上を封入し、封入量を発光管内容積１ｃｍ３あたりのモル数で表したとき、前記第１の発光物質の総入量を０．５×１０−６〜１０×１０−6モルと、第２の発光物質としてハロゲン化タリウム、ハロゲン化セリウム及びハロゲン化ネオジウムのうち１種類以上と、第３の発光物質としてハロゲン化ナトリウムとを封入し、前記発光管の管壁負荷が２０〜３３Ｗ／ｃｍ２、平均演色評価数Ｒａが８０以上および色温度が３０００〜５０００Ｋにすると、水銀灯に比較して安定器入力電力が５％以上抑えられるメタルハライドランプが得られる。
（５）第１の発光物質に加えて第２の発光物質としてハロゲン化タリウム、ハロゲン化セリウムおよびハロゲン化ネオジウムのうち１種以上を封入することにより、発光色を黒体軌跡に近づけて光源色をより好ましくできる。又、効率を高めることができる。第２の発光物質の封入量は第１の発光物質ほど厳密でなくて良いが、封入量をモル／ｃｍ３で表したとき、第１の発光物質の総封入量を１として約０．０７〜０．２程度とするのが好ましい。
（６）ハロゲン化ナトリウムを添加することにより、色温度の調整、光率アップおよびアークの安定化が可能である。ハロゲン化ナトリウムの封入量は第１の発光物質ほど厳密でなくて良く、封入量をモル／ｃｍ３で表したとき、色温度Ｔｃが５０００Ｋの場合には０．９×１０−６程度の封入量でよい。また、３０００Ｋの場合には、封入量をモル／ｃｍ３で表したとき、第１の発光物質の封入量に対して約１〜２倍程度の封入量でよい。
【００３８】
【表１】
2005235434.tif 000003
【００３９】
なお、始動用希ガスとして前述のＮｅ−Ａｒペニングガスを封入したランプでは、１０００Ｖ以下のパルス電圧で点灯可能である。屋内照明の用途には、ＯＡ機器に対する電波障害などを避けるため、特にパルス電圧の低いランプが望まれているが、Ｎｅ−Ａｒ（０．５容積％）ペニングガスを封入した本発明によるランプはこの用途に適している。しかしながら、始動用希ガスとしてはこれに限定されるものではなくＮｅ、Ａｒ、ＸｅおよびＫｒ又はこれらの混合ガスを使用することができるのはもちろんである。
【００４０】
さらに、実施例では水銀灯の４００Ｗに相当するランプを例に説明したが、他のワット、たとえば水銀灯の２００Ｗ、２５０Ｗあるいは３００Ｗに相当するランプの場合も、封入物および封入量の選定を前述のとおりにすれば、水銀灯の４００Ｗに相当するランプ同様のランプ特性が得られることがわかった。したがって、本発明はランプの大きさとして、水銀灯の４００Ｗに相当するランプにのみ限定されるものではない。
【図面の簡単な説明】
【００４１】
【図１】本発明の実施例であるセラミックメタルハライドランプの発光管の構成を示す断面図である。
【図２】本発明の一実施例であるセラミックメタルハライドランプを示す概略構成図である。
【図３】本発明の他の実施例であるセラミックメタルハライドランプを示す概略構成図である。
【図４】ネオン−アルゴンペニングガスからなる始動用希ガス（封入圧９ＫＰａ）中のアルゴンガスの容積％と光束維持率との関係を示す図である。
【図５】ネオン−アルゴン（０．５容積％）ペニングガスからなる始動用希ガスの封入圧力と光束維持率との関係を示す図である。
【符号の説明】
【００４２】
１    発光管
２    電極
３    電極極芯
４    電極第２コイル
５    細管部
６    第２の電気導入体
７    第１の電気導入体
９    封着材
１０  スペーサー
１１  外管
１２  支持線
１３  始動器
１４  ゲッター
１５  口金
１６  始動補助導体
【図１】
2005235434.tif 000004
【図２】
2005235434.tif 000005
【図３】
2005235434.tif 000006
【図４】
2005235434.tif 000007
【図５】
2005235434.tif 000008